(57)【要約】【課題】人体に付着した花粉をより確実に除去することを可能にする花粉除去方法を提供する。【解決手段】人体に付着した花粉３を除去する方法であって、接地した導電体を備える静電気除去装置に人Ｍが触れることによって人体に帯電した静電気を導電体を介して除電する。これとともに、送風装置２の吹出口２ａから人体に風４を吹き付けることによって人体に付着した花粉３を吹き飛ばして除去するようにした。【選択図】図２
2011021792.tif 000002
【特許請求の範囲】
【請求項１】
人体に付着した花粉を除去する方法であって、
接地した導電体を備える静電気除去装置に人が触れることによって人体に帯電した静電気を前記導電体を介して除電するとともに、
送風装置の吹出口から人体に風を吹き付けることによって人体に付着した花粉を吹き飛ばして除去するようにしたことを特徴とする花粉除去方法。
【発明の詳細な説明】
【技術分野】
【０００１】
本発明は、人体に付着した花粉を除去する方法に関する。
【背景技術】
【０００２】
植物の花粉が鼻や目などの粘膜に接触することにより、発作性、反復性のくしゃみ、鼻水、鼻詰まり、目のかゆみなどの一連の症状を引き起こす花粉症患者が増大している。一方、建築基準法によって、シックハウス対策などの観点から建物に２４時間換気システム（０．５回／時の換気回数を確保）を設置することが義務化され、外気フィルターを通じて室内に外気を取り入れながら換気を行うことで、花粉等の建物内への侵入も少なくなる効果が得られている。
【０００３】
また、外出によって花粉が衣類などに付着した状態で自宅などの建物に入ることで、居室などの建物内に花粉が飛散し、二次的に花粉症を発症する場合もある。このような人体に付着した花粉は、単に物理的な付着に加え、静電気によって付着しており、建物内に入る前に衣服などを手で払ったり、エアシャワー装置を設置し、このエアシャワー装置から人体に向けて吹出風を吹き付けるようにしても、十分に花粉を取り除くことが難しい。このため、人体付着由来の花粉をより確実に除去する手法が望まれている。
【０００４】
これに対し、特許文献１には、微細な水滴を噴霧させる微細水噴霧手段と、吹出風により人体に付着した花粉や粉塵を吹き飛ばす花粉分離手段とを備えて構成した花粉除去装置及び花粉除去システムが開示されている。そして、特許文献１では、例えばクリーンルームやマンション、ホテルなどの出入り口に花粉除去装置を設置し、微細水噴霧手段で微細な水滴を噴霧することで人体に帯電した静電気を空気中に放電させて除去することができ、人体に付着した花粉や粉塵を花粉分離手段の吹出風によって除去できるようにしている。
【先行技術文献】
【特許文献】
【０００５】
【特許文献１】特開２００８−２０１３０号公報
【発明の概要】
【発明が解決しようとする課題】
【０００６】
しかしながら、特許文献１においては、水滴を噴霧して静電気を除去するようにしているため、微細水の粒子径を１０μｍ以下にしても濡れによる不快感が発生するおそれがある。
【０００７】
本発明は、上記事情に鑑み、人体に付着した花粉をより確実に除去することを可能にする花粉除去方法を提供することを目的とする。
【課題を解決するための手段】
【０００８】
上記の目的を達するために、この発明は以下の手段を提供している。
【０００９】
本発明の花粉除去方法は、人体に付着した花粉を除去する方法であって、接地した導電体を備える静電気除去装置に人が触れることにより、人体に帯電した静電気を前記導電体を介して除電するとともに、送風装置の吹出口から人体に風を吹き付けることにより、人体に付着した花粉を吹き飛ばして除去するようにしたことを特徴とする。
【発明の効果】
【００１０】
本発明の花粉除去方法によれば、例えば、建物のドアノブなど、建物や室内に入る際に必ず人が触れるものに導電体を取り付けて接地して静電気除去装置を構成することにより、建物や居室の出入り口で人体に帯電した静電気を除電することが可能になる。そして、建物や居室の出入り口に設けた送風装置（エアシャワー装置）で人体に風を吹き付けることにより、人体に物理的に付着した花粉だけでなく、静電気によって付着した花粉を吹き飛ばして除去することが可能になる。
【００１１】
これにより、従来の水滴を噴霧して人体に帯電した静電気を除電する場合と比較して、濡れによる不快感を生じさせることなく、確実に人体に付着した花粉を除去することができ、建物や居室内に花粉が入り込んで、二次的に花粉症を発症することを防止することが可能になる。
【図面の簡単な説明】
【００１２】
【図１】建物（高層集合住宅）の平断面図である。
【図２】本発明の一実施形態に係る花粉除去方法を適用したエントランスを示す図である。
【図３】図２のＸ１−Ｘ１線矢視図である。
【図４】花粉除去機能を備えたエレベータを示す図である。
【図５】本発明の一実施形態に係る花粉除去方法を適用した玄関を示す図である。
【図６】花粉除去機能を備えたクローゼットを示す図である。
【図７】花粉除去機能を備えた下足入れを示す図である。
【発明を実施するための形態】
【００１３】
以下、図１から図７を参照し、本発明の一実施形態に係る花粉除去方法について説明する。本実施形態は、集合住宅などの建物内に人体に付着した花粉が持ち込まれることを防ぐための花粉除去方法に関するものである。
【００１４】
本実施形態の花粉除去方法を、図１に示す高層集合住宅（建物Ｔ）での代表的なプランによって説明する。そして、本実施形態では、人体に付着した花粉を、建物Ｔに出入りするためのエントランス、エレベータＴ１、玄関（集合住宅Ｔでは各住戸、ビルでは各フロアやテナント別の入り口を示す）、クローゼット、下足入れで除去して、花粉等の人体依存の住戸Ｔ２内（建物内、室内）侵入を防ぐ効果を得るようにしている。
【００１５】
まず、図２及び図３を参照してエントランスＴ３での花粉除去について説明する。そして、エントランスＴ３には、例えばドアノブなど、入館の際に必ず接触する（接触する可能性が高い）箇所にアース線などの導電体１ａを繋いで接地してなる静電気除去装置１が設けられている。また、エントランスＴ３の出入り口付近に吹出口２ａを配した送風装置（エアシャワー装置）２が設けられている。なお、ここでは、風除室Ｔ４があるものとして説明を行うが、必ずしも区切られた空間であるゾーンが必要なわけではない。勿論、このようなゾーンが存在した方が効果の増大が期待できる。
【００１６】
そして、人ＭがエントランスＴ３から建物Ｔ内に入ろうとしたときに例えばドアノブなどに触れると、静電気除去装置１によって人体に帯電して蓄積された静電気が除電される。これにより、花粉３を吸着する力の一つである静電気が取り除かれ、花粉３を除去しやすくなる。
【００１７】
また、建物Ｔ内に入る最初のエントランスＴ３では、人感センサー５で人Ｍを感知するとともに送風装置２のブロアー（送風機）２ｂが駆動し、吹出口２ａから吹き出した風４が頭上から大風量、大風速で人体に当てられ、人体に付着した花粉３などを吹き落とす。このとき、静電気除去装置１で除電して花粉３が除去しやすくなっているため、確実に人体から花粉３が吹き飛ばされて除去される。そして、この花粉３などを大量に含んだ空気は、下部に設けた吸込口２ｃからプレフィルター２ｄ、高機能フィルター２ｅを通って清浄化され、再度吹出口２ａから人体に吹き付けるように流通して循環する。
【００１８】
なお、本実施形態の高機能フィルター２ｅは、中性能、高性能、ＨＥＰＡ、ＵＬＰＡなどのフィルターと併用して、活性炭などによる化学吸着や光触媒を利用した空気浄化機能をもつフィルターユニットである。また、集めた花粉３などを光触媒、その他の触媒、紫外線、プラズマ、熱などで分解したり、フィルターをパッケージ化し、取替え時に集めた花粉３などが再放散しないようにするなどの機構を備えていることが望ましい。
【００１９】
さらに、このエントランスＴ３での花粉除去機能を省エネルギー化するために、例えば、（１）エントランスＴ３の屋外側の庇の軒天部分などに設置し、外から入ってくる人Ｍに対してのみ作動するようにしたり、（２）花粉３の問題の少ない季節には停止させる機能を備えるようにするなどの対策を講じることが好ましい。
【００２０】
次に、図４を参照してエレベータＴ１での花粉除去について説明する。図１及び図４に示すように、チューブタイプ（センターコア）形式の建物Ｔでは、エレベータＴ１の使用率も高く、居住階に降りたら既に建物Ｔ内部である。そこで、このエレベータＴ１では、図４に示すように、エレベータＴ１内の人Ｍに付着した花粉３などを、コンプレッサーなどの送風装置６により頭上から大風量、大風速で人体に風４を当てることで吹き落とす。
【００２１】
また、エレベータＴ１の上部に高機能フィルター７を組み込んだ室外機一体型パッケージエアコンなどの送風装置（エアコン機能はなくてもよい）８により、大風量、高風速で人体に風４を当て、その還気を床面から例えば還気チャンバ９、還気ガラリ１０を通じて逃がす。この床面はフリーアクセスフロア状になっており、床材はパンチングメタル、グレーチングなど（さらにその上に通風カーペットを敷いた方が望ましい）で構成されている。そして、還気は花粉３などを含んだ状態でシャフト内に捨てられ、送風装置６、８への給気はそれらが含まれるエレベータシャフト内から行われ、送風装置８の高機能フィルター７によって清浄化され、再度エレベータＴ１のカゴの中に送風される。
【００２２】
ここで、このエレベータＴ１での花粉除去機能を省エネルギー化するために、例えば、（１）１Ｆでボタンを押した際、すなわち外から入ってきた際にのみ送風装置７、８が運転するように制御すること、さらに、１Ｆの建物Ｔ内に行き、外に出ずに戻ってくることも考慮して、手元スイッチにより送風を停止できるようにする対策を講じることが好ましい。また、（２）人感センサー１１を具備することにより、呼び出されて空で上階へ向かう際は運転しないように制御すること、（３）花粉問題が少ない季節には風量を落としたり、停止させたりすることなどの対策を講じることが好ましい。
【００２３】
次に、図５を参照して玄関Ｔ５での花粉除去について説明する。住戸Ｔ１やフロア、テナントに入る最終段階として、玄関Ｔ５手前で、送風装置１２により大風量、大風速で人体に風４を当て、人体に付着した花粉３などを吹き落とす。さらに、除電マット１３や除電パッド１４で人体に蓄積された静電気を除電するようにし、花粉３を落としやすくする。また、吹き落ちた花粉などを大量に含んだ空気は、下部の吸込口１２ａからプレフィルター１２ｂ、高機能フィルター１２ｃを通って清浄化され、再度ブロアー（送風機）１２ｄなどによって吹出口１２ｅから人体に当てるように吹き出され循環する。
【００２４】
ここで、この玄関Ｔ５での花粉除去機能を省エネルギー化するために、例えば、（１）人感センサー１５により人が立つと自動的に運転するようにする対策を講じることが好ましい。この場合には人Ｍが入ってきた際にのみ作動するように設定することがより好ましい。また、（２）手元スイッチ１６により必要性を感じたときのみ運転する対策などを講じることが好ましい。
【００２５】
次に、図６を参照してクローゼットＴ６での花粉除去について説明する。屋外で着衣してきた衣類１７には、上記のステップを踏んでもやはり若干の花粉３などが付着している可能性がある。そして、本実施形態では、これを除去するために、着衣した衣類１７を仕舞うクローゼットＴ６内で、送風装置１８により大風量の風４を衣服１７に当て、花粉３を落とす。なお、衣服１７を掛けるバー１９もハンガー２０も導電体材料とし、バー１９に繋げて接地した導電体（アース線など）２１によって除電することで、花粉３を落としやすくすることが好ましい。また、落ちた花粉３は、プレフィルター１８ａ、高機能フィルター１８ｂにより除去され、清浄化した空気が再度衣服１７に吹き当てられるように循環する。これにより、循環系の中で花粉３が微量化する。
【００２６】
ここで、このクローゼットＴ６での花粉除去機能を省エネルギー化するために、例えば、（１）扉を閉めて一定時間のみ作動する機能を具備したり、（２）必要性を感じたときのみ任意の時間運転するための発停スイッチ２２を設ける対策などを講じることが好ましい。
【００２７】
次に、図７を参照して下足入れＴ７での花粉除去について説明する。屋外を歩いてきた下足には多量の花粉、塵埃などが付着しているものである。そこで、クローゼットＴ６での花粉除去と同様に、送風装置２３（ブロアー（送風機）２３ａ、プレフィルター２３ｂ、高性能フィルター２３ｃ）によって風４を下足に当て、花粉や粉塵を落とす。また、空気を循環させることで、下足に付着した花粉等を微量化する。
【００２８】
ここで、この下足入れＴ７での花粉除去機能を省エネルギー化するために、例えば、（１）扉を閉めて一定時間のみ作動する機能を具備したり、（２）必要性を感じたときのみ任意の時間運転するための発停スイッチ２４を設けるなどの対策を講じることが好ましい。
【００２９】
したがって、本実施形態の花粉除去方法によれば、例えば、建物Ｔのドアノブなど、建物Ｔや室内に入る際に必ず人が触れるものに導電体１ａを取り付けて接地して静電気除去装置１を構成することにより、建物Ｔや居室の出入り口で人体に帯電した静電気を除電することが可能になる。そして、建物Ｔや居室の出入り口に設けた送風装置（エアシャワー装置）２で人体に風を吹き付けることにより、人体に物理的に付着した花粉３だけでなく、静電気によって付着した花粉３を吹き飛ばして除去することが可能になる。
【００３０】
これにより、従来の水滴を噴霧して人体に帯電した静電気を除電する場合と比較して、濡れによる不快感を生じさせることなく、確実に人体に付着した花粉３を除去することができ、建物Ｔや居室内に花粉が入り込んで、二次的に花粉症を発症することを防止することが可能になる。
【００３１】
また、本実施形態の花粉除去方法においては、大勢の人が困っており、ディベロッパーからのニーズも高い花粉問題を解消する技術として大いに活用できる。
【００３２】
さらに、エレベータＴ１内ではエアコンを用いることで快適性が増す。また、エレベータＴ１にこもったごみや食事のにおいなどを強制運転で除去することも可能である。
【００３３】
各種センサーを併用することで極めて少ない電力料金で、常時運転と同等の花粉３などの除去機能を期待できる。また、集合住宅Ｔだけではなく、オフィスビル、宿泊施設、飲食店、宴会場、病院、学校など全ての種類の用途建築にも適用できる。
【００３４】
クローゼットＴ６で本機能を使用することにより、副次的に衣服１７に付着したにおいなども除去できる。また、下足入れＴ７に適用することで、下足の悪臭も高機能フィルター２３ｃにより緩和できる。
【００３５】
以上、本発明に係る花粉除去方法の一実施形態について説明したが、本発明は上記の実施形態に限定されるものではなく、その趣旨を逸脱しない範囲で適宜変更可能である。例えば、本発明に係る花粉除去方法をエントランスＴ３、エレベータＴ１、玄関Ｔ５、クローゼットＴ６、下足入れＴ７に単独もしくは併用して、人体に付着した花粉を除去するようにしてもよい。また、図１に示すような建物Ｔ（平面）の場合には、エントランスＴ３に入ったらもう人体が外気に接することはない。このため、本実施形態の花粉除去方法は有効性を増すが、本発明に係る花粉除去方法は、建物Ｔ及び平面を特定するものではなく、あらゆる建物用途に採用することが可能である。
【符号の説明】
【００３６】
１      静電気除去装置
１ａ    アース線（導電体）
２      送風装置
２ａ    吹出口
２ｂ    送風機（ブロアー）
２ｃ    吸込口
２ｄ    プレフィルター
２ｅ    高性能フィルター
３      花粉
４      風
５      人感センサー
６      送風装置
７      高性能フィルター
８      送風装置（エアコン）
１１    人感センサー
１２    送風装置
１２ａ  吸込口
１２ｂ  プレフィルター
１２ｃ  高性能フィルター
１２ｄ  送風機（ブロアー）
１２ｅ  吹出口
１３    除電マット
１４    除電パッド
１５    人感センサー
１６    手元スイッチ
１７    衣類
１８    送風装置
１９    バー
２０    ハンガー
２１    導電体（アース線）
２２    発停スイッチ
２３    送風装置
２３ａ  送風機（ブロアー）
２３ｂ  プレフィルター
２３ｃ  高性能フィルター
２４    発停スイッチ
Ｔ      建物（集合住宅）
Ｔ１    エレベータ
Ｔ２    住戸（室内）
Ｔ３    エントランス
Ｔ４    風除室
Ｔ５    玄関
Ｔ６    クローゼット
Ｔ７    下足入れ
Ｍ      人
【図１】
2011021792.tif 000003
【図２】
2011021792.tif 000004
【図３】
2011021792.tif 000005
【図４】
2011021792.tif 000006
【図５】
2011021792.tif 000007
【図６】
2011021792.tif 000008
【図７】
2011021792.tif 000009